【事件の表示】
　平成　７年特許願第　５６１７４号「プリント基板接続構造」拒絶査定不服審判事件〔平成　８年　９月２７日出願公開、特開平　８−２５０２４３〕について、次のとおり審決する。
【結　論】
　本件審判の請求は、成り立たない。
【理　由】
第１　手続の経緯
　本件審判請求に係る出願は、平成７年３月１５日の出願であって、平成１７年４月１１日付けで拒絶査定（発送日：同年４月１９日）がなされたところ、平成１７年５月１９日に拒絶査定不服審判が請求され、同年６月２０日付けで手続補正がなされたものである。
　　
第２　平成１７年６月２０日付けの手続補正について
［結論］
　平成１７年６月２０日付けの手続補正を却下する。
［理由］
　平成１７年６月２０日付け手続補正（以下、「本件補正」という。）により、特許請求の範囲の請求項１は、
　「対面する２枚のプリント基板を接続するプリント基板接続構造において、一方のプリント基板に接点端子を有するコネクタを設け、上記２枚のプリント基板間のスタッキング高さを調整するスペーサーを、外面に吸着面が形成された本体部の両端より連結片を突設してコ字状に形成すると共に、上記コネクタを構成するコネクタハウジングの両側面に凹設された凹所内より連結凸部を突設することによってコネクタハウジングにスペーサーを取付けるための取付部を設け、上記凹所内にスペーサーの連結片を嵌合すると共に連結片に設けられたスリットに連結凸部を係合させることによってスペーサーをコネクタハウジングに取付け、他方のプリント基板に設けられたパターン面に接点端子を弾接させて成ることを特徴とするプリント基板接続構造。」　と補正された（以下、「補正後発明」という。）。
　本件補正は、補正前の請求項１に係る発明（以下、「補正前発明」という。）の「コネクタを構成するコネクタハウジングに対面する２枚のプリント基板間のスタッキング高さを調整するスペーサーを取付けるための取付部を設けると共に、他方のプリント基板にパターン面を設け、」を、
　「上記２枚のプリント基板間のスタッキング高さを調整するスペーサーを、外面に吸着面が形成された本体部の両端より連結片を突設してコ字状に形成すると共に、上記コネクタを構成するコネクタハウジングの両側面に凹設された凹所内より連結凸部を突設することによってコネクタハウジングにスペーサーを取付けるための取付部を設け、上記凹所内にスペーサーの連結片を嵌合すると共に連結片に設けられたスリットに連結凸部を係合させることによってスペーサーをコネクタハウジングに取付け、」
　と補正する事項を含むものである。
　本件補正により追加された「スペーサーを、外面に吸着面が形成された本体部の両端より連結片を突設してコ字状に形成する」、「連結片に設けられたスリットに連結凸部を係合させることによってスペーサーをコネクタハウジングに取付け」なる事項は、スペーサーの形状、或いは、スペーサーのコネクタハウジングに対する取付構造を特定するもの、換言すれば、「スペーサー」に係る事項を特定するものであるところ、当該事項は、出願当初の明細書の【００１４】、【００１５】、【図９】に記載された事項であるから、願書に最初に添付された明細書、特許請求の範囲及び図面に記載した事項の範囲内でなされたものである。
　しかしながら、補正前の請求項１の「コネクタハウジングに…(略)…スペーサーを取付けるための取付部を設ける」なる記載は、コネクタハウジングに設けられた「取付部」が、スペーサー取付用であることを特定しているだけであって、「スペーサーそのもの」を、補正前発明を特定する事項としているわけではない。
　なお付言すれば、補正前発明は、本願図面の【図３】に示される「コネクタ」を用いた「プリント基板接続構造」のことであるのに対して、補正後発明は、同じく【図９】に示される「コネクタとスペーサー」を用いた「プリント基板接続構造」のことであるから、補正前発明が「スペーサー」を特定事項としていないことは明らかである。
　即ち、スペーサーそのものは、補正前発明を特定する事項ではないから、上記のように、スペーサーの形状等を特定する事項は、平成１８年改正前特許法第１７条の２第４項第２号に規定される「特許請求の範囲の減縮」とは言えない。
　又、上記補正事項が、請求項の削除、誤記の訂正、明りょうでない記載の釈明を目的とするものでないことは明らかである。
　したがって、本件補正は、平成１８年改正前特許法第１７条の２第４項の規定に違反するものであるから、同法第１５９条第１項の規定で読み替えて準用する同法第５３条第１項の規定により却下すべきものである。
　
第３　本願発明について
　１　本願発明
　　本件補正は、上記のとおり却下されたので、本願の請求項１に係る発明は、平成１６年１月１３日付け手続補正書の特許請求の範囲の請求項１に記載された次のとおりのものである（以下、「本願発明」という。）。
　「対面する２枚のプリント基板を接続するプリント基板接続構造において、一方のプリント基板に接点端子を有するコネクタを設け、コネクタを構成するコネクタハウジングに対面する２枚のプリント基板間のスタッキング高さを調整するスペーサーを取付けるための取付部を設けると共に、他方のプリント基板にパターン面を設け、接点端子をパターン面に弾接させて成ることを特徴とするプリント基板接続構造。」
　
　２　引用例に記載された事項
　　原査定の拒絶の理由に引用された実願昭６０−２７９９号（実開昭６１−１１９２８８号）のマイクロフィルム（以下、「引用例」という。）には、次の事項が図面と共に記載されている。
　ア．「（産業上の利用分野）
　本考案は、プリント基板同士を電気的および機械的に接続するコネクタであって、特に両プリント基板を重合かつ平行する配置関係をとらせて上記接続を行うコネクタに関する。」（２頁３行〜７行）
　イ．「コネクタの外観斜視図を示す第１図および断面図である第２図において、１は合成樹脂成形品たる略直方体状のコネクタボディであり、コネクタボディ下面１ａの両端側２箇所に位置決め用ピン突子２が一体に突設され、上面１ｂの両端側２箇所に同じく一体的に係合鈎部３が立設される。」（４頁１０行〜１５行）
　ウ．「接続端子４は特に第１図においてその構造が明らかなように、打抜き加工した金属細片をこれが弾性を有するように略Ｕ曲状に曲成して横に寝かせた形状をしており、曲成部４ａに連なる上辺部４ｂの先端を円弧状に湾曲させて該部に接点部５が構成される。また、同じく曲成部４ａに連なる下辺部４ｃの先端はさらに下方へ略Ｌ字状に屈曲されて、該部にリード部６が構成される。」（５頁５行〜１２行）
　エ．「コネクタボディ１における接続端子収納部は、該コネクタボディの側面１ｃと上面１ｂとにわたっては凹陥する室８であって、」（５頁１５行〜１７行）
　オ．「下部プリント基板（メインプリント基板）１２の上に上部プリント基板（サブプリント基板）１３を重ねて平行接続するにあたっては、下部プリント基板１２に前述の位置決め用ピン突子２に対応するピン穴１４（第４図に示す）を開設し、また上部プリント基板１３に第３図および第５図に示すように通孔１５を開設する。この通孔１５の大きさは、前述の係合鈎部３の上面の大きさと同一もしくは若干大きいものとする。
　コネクタはいずれのプリント基板側から取付けても良く、下部プリント基板１２に対しては位置決め用ピン２をピン穴１４に差し込み、上部プリント基板１３に対しては第３図（ａ）のように通孔１５の下側に係合鈎部３を当てがって第３図（ｂ）のように下方から上方へ抜け出させ、この時上部プリント基板１３にて接点部５を下圧し、しかして接点部５を曲成部４ａを中心とする上辺部４ｂの撓み変形でもってコネクタ上面下、つまり室８内に潜入させ、次に第３図（ｂ）に示す矢印方向に上部プリント基板１３の位置をずらし、係合鈎部３の一方の肩部３ａが上部プリント基板１３の上面に係合するように操作することで、第３図（ｃ）および第６図のように肩部３ａと接点部５との間に上方へ弾性復帰しようとする接点部５の力で上部プリント基板１３を挟持し、仮止めを施こす。その後にそれぞれ上下のプリント基板１２，１３を通し止めビス１６，１６をビス穴１１に螺着して上下プリント基板１２，１３及びコネクタボディ１の三者を剛体結合する。この状態で接点部５は上部プリント基板１３の導電パターン（不図示）に、またリード部６は下部プリント基板１２の導電パターン（不図示）に接し、基板間の電気的導通が得られる。」（６頁２０行〜８頁１２行）
　カ．「（効果）
　以上詳述したように本考案は、重合かつ平行してプリント基板を接続するに、単一のコネクタであり乍ら、一方のプリント基板に対しては位置決め用ピン突子を突入係合して両者の相対的位置関係を仮止めし、他方プリント基板に対しては略逆倒Ｌ字状もしくは略Ｔ字状の係合鈎部と、コネクタが内蔵する板ばね状接続端子との間に該基板を挟持して同様に相対的位置関係を仮止めすることができるので、ツータイプ方式のコネクタ構造に比べ、コスト的に安くできることは勿論、プリント基板間のギャップを大幅に小さくして機器の小型化等を有効に図ることができる。
　また、コネクタはプリント基板間のスペーサ部材と同時に、両プリント基板同士の位置決め部材をも兼ねるので、機器組立て上の作業性が良好である。」（１０頁４行〜２０行）
　
　３　引用例に記載された発明
　　上記摘記事項及び第１図等からみて、引用例には、次の発明（以下、「引用例発明」という。）が記載されている。
　平行する上部及び下部プリント基板をコネクタにより接続するプリント基板接続構造であって、
　コネクタは、略直方体状のコネクタボディと、コネクタボディに設けられた室に収納される接続端子とからなり、
　下部プリント基板に、コネクタを取付け、前記接続端子を、上部プリント基板の導電パターンに弾接させてなる、プリント基板の接続構造。
　
　４　対比・判断
　　本願発明と引用例発明とを対比する。
　　引用例発明の「平行する上部及び下部プリント基板」は、本願発明の「対面する２枚のプリント基板」に相当し、同様に、「下部プリント基板」は「一方のプリント基板」に、「上部プリント基板」は「他方のプリント基板」に、「接続端子」は「接点端子」に、「導電パターン」は「パターン面」に、それぞれ相当する。
　又、引用例発明の「コネクタボディ」は、本願発明の「コネクタハウジング」に相当するから、引用例発明に言う「コネクタは、略直方体状のコネクタボディと、コネクタボディに設けられた室に収納される接続端子とからなり、」とは、コネクタが接続端子を有していること、に他ならない。
　したがって、両発明は、次の一致点と相違点を有するものである。
　［一致点］
  　対面する２枚のプリント基板を接続するプリント基板接続構造において、一方のプリント基板に接点端子を有するコネクタを設け、他方のプリント基板にパターン面を設け、接点端子をパターン面に弾接させて成ることを特徴とするプリント基板接続構造。
　［相違点］
　　本願発明では、コネクタハウジングに、対面する２枚のプリント基板間のスタッキング高さを調整するスペーサーを取付けるための取付部を設けるのに対して、引用例発明では、コネクタハウジングに、そのような取付部を設けていない点。
　
　上記相違点について検討する。
　対面する２枚のプリント基板をコネクタにより接続するプリント基板接続構造において、コネクタ（コネクタハウジング）に、基板間の高さを調整するスペーサーを取付けるための取付部を設けることは、コネクタの分野において周知の技術事項（例えば、実願平４−２０４５７号（実開平５−７３８８６号）のＣＤ−ＲＯＭのガイドピン、実願昭６１−８７０９５号（実開昭６２−１９８６７１号）のマイクロフィルムのコネクターピン等参照）であるから、同様の技術分野に属する引用例発明においても、コネクタボディ（コネクタハウジング）に、平行するプリント基板間の高さを調整するスペーサーを取り付けるための取付部を設けるようにすることは、当業者が容易に想到し得たことである。
　そして、本願発明の奏する作用効果も、引用例発明及び周知の技術事項の奏する作用効果から、当業者が予測できる範囲のものである。
　以上のとおりであるから、本願発明は、引用例発明及び周知の技術事項に基づいて、当業者が容易に発明をすることができたものである。
　
　５　むすび
　　したがって、本願発明は、特許法第２９条第２項の規定により特許を受けることができない。
　よって、結論のとおり審決する。